(57)【要約】【課題】簡単な構成により着脱の際の作業スペースが少なくて済み、且つ作業性の良好な締結継手を提供する。【解決手段】締結継手１０は、二つのフランジ部１３，１４の対向領域を中心軸Ｃ１の周りに包囲し、一端が一方のフランジ１３ａの軸方向背面側に係合する中空状のケース１６と、ケース内の他方のフランジ部１４の軸方向背面側から押圧部材１７，第一の揺動部材１８及び第二の揺動部材１９が配設され、押圧部材１７は一側端面が他方のフランジ部１４のフランジ１４ａに対して長手方向に当接され、第一の揺動部材１８は一側端縁が押圧部材１７に係合し、他側が第二の揺動部材１９の一側に揺動可能に枢支され、第二の揺動部材１９は他側でケースに対して揺動可能に枢支され、揺動軸を回転させる工具用係合孔１９ｄを備え、工具用係合孔１９ｄに工具を装着して、第二の揺動部材を長手方向の中心軸Ｃ１に接近するように揺動すると、第一の揺動部材１８が揺動して長手軸に向かって移動し、押圧部材１７を締結位置まで押動してガスケット１５を挟んで締結する。【選択図】図３
2017180613.tif 000002
【特許請求の範囲】
【請求項１】
二つのフランジ部を長手方向に対向させてシール部材を挟持した状態で締結する締結継手であって、
前記二つのフランジ部の対向領域を中心軸の周りに包囲し、且つその一端が一方のフランジ部のフランジの軸方向背面側に係合する中空状のケースと、
前記ケース内の他方のフランジ部の軸方向背面側から順次に配設された押圧部材，第一の揺動部材及び第二の揺動部材と、
を含んでおり、
前記押圧部材は長手方向に関して偏平に形成され、一側の端面が他方のフランジ部のフランジに対して長手方向に当接され、
前記第一の揺動部材は、その長手方向一側の端縁が前記押圧部材に係合すると共に、その他側が前記第二の揺動部材の一側に揺動可能に枢支されており、
前記第二の揺動部材は、その長手方向他側で前記ケースに対して揺動可能に枢支されると共に、揺動軸の周りに回転させるための工具用係合部を備えていて、
前記第二の揺動部材の工具用係合部に工具を装着して、前記第二の揺動部材が長手方向の中心軸に接近するように揺動軸の周りに回転されることにより、前記第一の揺動部材が揺動して、その一側の端縁が長手軸に向かって移動し、これにより前記押圧部材を長手方向一側に締結位置まで押動して、前記二つのフランジ部を対向した状態でシール部材を挟持するようにした、締結継手。
【請求項２】
前記第一の揺動部材に、第一の係合部が備えられており、
前記第一の揺動部材が前記押圧部材を締結位置まで押動したとき、前記第一の係合部が前記ケースに設けられた第二の係合部と整合し、これらの係合部に係合手段が挿通されることにより前記第一の揺動部材が締結位置でロックされる、請求項１に記載の締結継手。
【請求項３】
前記工具用係合部が六角形の孔であって、前記第二の揺動部材が六角レンチにより回転される、請求項１または２に記載の締結継手。
【請求項４】
前記第一の揺動部材に備えられた係合部が雌ねじを備えており、前記係合手段がこの雌ねじに螺合する係合ネジである、請求項１〜３の何れかに記載の締結継手。
【発明の詳細な説明】
【技術分野】
【０００１】
本発明は、配管や流体制御機器等のフランジ継手を他のフランジ継手と締結するための締結継手に関する。
【背景技術】
【０００２】
このような締結継手は、例えば、ネジ込み式管継手スリーブ等の配管等を互いに接続する場合に使用されている。
ここで、締結継手は、締結すべき二つのスリーブの先端を互いにガスケットを挟んで対向させ、一方のスリーブの外側に拡大するフランジに係合すると共に、他方のスリーブの外周部に設けられたカップリングの雄ねじ部に螺合するユニオンナットをスパナにより回転させて、このユニオンナットを締め付けることにより、双方のスリーブの先端が互いに接近し、ガスケットを押圧して密着することで二つのスリーブが連結される。
【０００３】
ところで、このような締結継手は、配管の着脱の際に、その都度スパナを使用してユニオンナットを回転させる必要があり、周囲にスパナのためのスペースが必要となる。これは、このような配管が必要な各種機器等の小型化の要請に反することになる。
【０００４】
これに対して、特許文献１には、フランジ継手を締結する継手締結具であって、上部と下部に分離可能に構成された第一ボディと、上部と下部を結合可能なパチン錠と、第一ボディに固定され回動可能に構成された滑車と、滑車の回転に連動して第一ボディに向かって移動する第二ボディと、滑車を回動させる操作部と、滑車と第二ボディを連結する連結部材と、から成る継手締結具が開示されている。
この継手締結具によれば、着脱の際に従来のようなスパナを使用することなく、継手締結具が蝶番により固定された一点を支点に分離できると共に、滑車をハンドルを使用して回転させることで締結が行なわれる。これにより、着脱の際に必要なスペースを小さくすることができ、作業性が向上する。
【先行技術文献】
【特許文献】
【０００５】
【特許文献１】特開２０１５−１９７２１６号公報
【発明の概要】
【発明が解決しようとする課題】
【０００６】
しかしながら、特許文献１による継手締結具においては、配管の着脱の際に、継手締結具の一部が蝶番により固定された一点を支点として回動することになる。このため、回動に必要なスペースが必要となる。
このような配管が必要な各種機器等にあっては、コスト削減のために小型化が要請されており、ガスボックス等において、バルブや継手が密集した狭い施工スペースにおいて配管の迅速な着脱作業が必要になってきている。従って、配管の着脱の際のさらなる省スペース化が必要とされている。
【０００７】
本発明は、簡単な構成により、着脱の際の作業スペースが少なくて済み、且つ作業性の良好な締結継手を提供することを目的としている。
【課題を解決するための手段】
【０００８】
上記目的を達成するため、本発明は、二つのフランジ部の対向領域を中心軸の周りに包囲し、且つその一端が一方のフランジ部のフランジの軸方向背面側に係合する中空状のケースと、ケース内の他方のフランジ部の軸方向背面側から順次に配設された押圧部材，第一の揺動部材及び第二の揺動部材と、を含み、二つのフランジ部を長手方向に対向させてシール部材を挟持した状態で締結する締結継手において、
押圧部材を、長手方向に関して偏平に形成し、一側の端面を他方のフランジ部のフランジに対して長手方向に当接し、
第一の揺動部材を、その長手方向一側の端縁を上記押圧部材に係合させると共に、その他側を第二の揺動部材の一側に揺動可能に枢支させており、
第二の揺動部材は、その長手方向他側でケースに対して揺動可能に枢支されると共に、揺動軸の周りに回転駆動させるための工具用係合部を備えていて、
第二の揺動部材の工具用係合部に工具を装着して、第二の揺動部材を長手方向の中心軸に接近するように揺動軸の周りに回転駆動させることで、第一の揺動部材が揺動してその一側の端縁が長手軸に向かって移動し、これにより押圧部材を長手方向一側に締結位置まで押動して、二つのフランジ部を対向した状態でシール部材を挟持するように構成している。
【０００９】
上記構成によれば、配管の着脱の際には、工具を第二の揺動部材の工具用係合部に装着して、工具により第二の揺動部材をその揺動軸の周りに回転駆動させることで、第一の揺動部材を逆方向に揺動させて、押圧部材を長手方向一側に向かって締結位置まで押動する。これにより、締結位置において、押圧部材は二つのフランジ部を長手方向に対向した状態でシール部材を適宜の圧力で当接するので、二つのフランジ部はシール部材を所定の圧力で押圧しながら気密に挟持する。よって、配管の着脱の際には、第二の揺動部材を揺動させる工具のみが必要となるだけで、この工具の第二の揺動部材を揺動させるための移動範囲は少なくて済み、配管を備えた各種機器の小型化により、配管着脱の施工スペースが小さくなっても配管の着脱を容易に且つ迅速に行なうことができる。
【００１０】
本発明による締結継手は、好ましくは、第一の揺動部材に第一の係合部が備えられており、第一の揺動部材が押圧部材を締結位置まで押動したとき、第一の係合部がケースに設けられた第二の係合部と整合し、これらの係合部に係合手段が挿通される。これによって第一の揺動部材が締結位置でロックされる。
この構成によれば、工具を使用して第二の揺動部材を揺動させることで、第一の揺動部材が押圧部材を締結位置まで押動したとき、互いに整合した第一の係合部及び第二の係合部に係合手段を挿通するだけで、容易に且つ確実に押圧部材を締結位置に保持することができる。
【００１１】
本発明による締結継手は、好ましくは工具用係合部が六角形の孔であって、第二の揺動部材が六角レンチにより揺動される。よって、六角レンチを使用してその先端を第二の揺動部材に設けられた工具用係合部に装着することにより、容易に且つ迅速に第二の揺動部材を揺動させることができると共に、その際の六角レンチの移動範囲が小さいことから、配管着脱のための作業スペースが少なくて済む。
【００１２】
本発明による締結継手は、第一の揺動部材に備えられた係合部が雌ねじを備えていてもよく、係合手段はこの雌ねじに螺合する係合ネジであってもよい。この構成によれば、押圧部材が締結位置に在って、第一の揺動部材に備えられた係合部がケースに設けられた第二の係合部と整合している状態において、係合手段である係合ネジのネジ部が第二の係合部を挿通して第一の揺動部材に備えられた第一の係合部に螺合される。これにより、容易に且つ短時間でしかも低コストで、押圧部材が締結位置にロックされる。
【発明の効果】
【００１３】
このようにして本発明によれば、簡単な構成により、着脱の際の作業スペースが少なくて済み、且つ作業性が良好である、極めて優れた締結継手を提供することができる。
【図面の簡単な説明】
【００１４】
【図１】本発明による締結継手の一実施形態の使用状態を示す一部破断概略側面図である。
【図２】図1に示した締結継手の要部を拡大して示す一部破断底面図である。
【図３】図1に示した締結継手の要部を拡大して示し、（Ａ）は締結前の状態、（Ｂ）は締結状態における一部破断側面図である。
【図４】図１に示した締結継手を構成するケースを示し、（Ａ）は側面図、（Ｂ）は平面図、（Ｃ）は左端面図である。
【図５】図１に示した締結継手を構成する押圧部材であり、（Ａ）は側面図、（Ｂ）は左端面図、（Ｃ）は底面図である。
【図６】図１に示した締結継手を構成する第一の揺動部材を示し、（Ａ）は平面図、（Ｂ）は側面図である。
【図７】図１に示した締結継手を構成する第二の揺動部材を示し、（Ａ）は側面図、（Ｂ）は平面図、（Ｃ）は左端面図である。
【発明を実施するための形態】
【００１５】
以下、図面に示した実施形態に基づいて本発明を詳細に説明する。
【００１６】
図１は本発明による締結継手の一実施形態の使用状態を示す概略断面図である。図１において、締結継手１０は、二つのスリーブ１１及び１２を互いに締結するものである。
双方のスリーブ１１及びスリーブ１２は、その互いに長手方向（Ｘ方向）に対向する先端に、それぞれフランジ部１３，フランジ部１４が形成されている。これらのフランジ部１３，１４は公知の構成であって、そのスリーブ１１，１２側から外周に向かって突出して段差を構成するフランジ１３ａ，１４ａを備えている。締結継手１０は、これらのフランジ部１３，１４を互いに接近させるように押圧し、シール部材として円環状のガスケット１５を挟持して互いに圧接して内部が長手方向に連通し得るように連結する。
【００１７】
ここで、締結継手１０は、図２及び図３（Ａ）に詳細に示すように、ケース１６，押圧部材１７，第一の揺動部材１８及び第二の揺動部材１９から構成されている。
【００１８】
ケース１６は、例えばＳＵＳ３０４から構成され、図４に示すように中空の直方体状又は円環状の形状を有している。
さらに、ケース１６は、図４（Ａ）にて右方（Ｘ２方向）が完全に開放していると共に、左方（Ｘ１方向）の端面には円形の開口１６ａ（図４（Ｃ）参照）を備えている。この開口１６ａは、図２に示すように、スリーブ１１側のフランジ部１３のフランジ１３ａに背面（Ｘ１）側から係合するようにその大きさが選定されている。また、ケース１６は、その上面の中央領域に右方に開放した切欠き部１６ｂを備えている。
使用の際には、ケース１６は、その開口１６ａにスリーブ１１が挿通されると共に、開口１６ａの内側縁が、フランジ部１３のフランジ１３ａに対してＸ１側から近接して配置される。
【００１９】
押圧部材１７は、例えばＳＵＳ３０４から構成され、図５に示すように、長手方向（Ｘ１−Ｘ２方向）に関して偏平に形成されている。さらに、押圧部材１７は、図５（Ｂ）に示すように、上方に向かって開放した逆Ｕ字形の切欠き部１７ａを備えていると共に、両側面からＹ１−Ｙ２方向に突出する一対の係合軸１７ｂを有している。
使用の際には、押圧部材１７は図２に示すように、ケース１６内において、互いに突き合わされた二つのフランジ部１３，１４のＸ２側にてＸ１−Ｘ２方向に移動可能に配置され、その切欠き部１７ａがフランジ部１４の外周に被嵌されると共に、そのＸ１側の端面が、フランジ部１４のフランジ１４ａに対してＸ２側から当接する。また、各係合軸１７ｂは、その共通の中心軸Ｃ２が図３（Ａ）にて上下方向に関してケース１６の中心軸Ｃ１と直交するように配置されている。
【００２０】
第一の揺動部材１８は、図２の場合、ケース１６内において、Ｙ１−Ｙ２方向に関してフランジ部１４を挟むように両側にそれぞれ一つずつ配置されている。各第一の揺動部材１８は、例えばＳＵＳ３０４から構成され、薄い板状のリンクとして形成されている（図６参照）。ここで、第一の揺動部材１８は、一側（Ｘ１側）及び他側（Ｘ２側）にそれぞれ揺動孔１８ａ，１８ｂを備えている。各第一の揺動部材１８の一側（Ｘ１側）の揺動孔１８ａは、使用の際にはそれぞれ上述した押圧部材１７の一対の係合軸１７ｂに揺動可能に被嵌される。
【００２１】
さらに、少なくとも一方、図２においてＹ１側の第一の揺動部材１８は、その長手方向中央付近に、第一の係合部としての係合孔１８ｃを備えている。なお、他方の第一の揺動部材１８は、係合孔１８ｃを備えていてもよく、備えていなくてもよい。
この第一の係合孔１８ｃは、第一の揺動部材１８が後述するように第二の揺動部材１９の揺動によって、図３（Ａ）に示す締結前の退避位置から図３（Ｂ）に示す締結位置まで揺動されたとき、ケース１６の側壁に設けられた第二の係合部としての係合孔１６ｃとＹ１−Ｙ２方向に関して整合するようになっている。そして、第一の揺動部材１８の第一の係合孔１８ｃ及びケース１６の第二の係合孔１６ｃと整合した状態で、係合孔１６ｃに係合手段である係合ピン又は係合ネジ２１（後述）が導入され、係合孔１８ｃと係合することにより、第一の揺動部材１８がケース１６に対して固定保持されることになる。なお、上記第一の係合孔１８ｃ及び第二の係合孔に内側に雌ねじを設け、係合ネジ２１で螺合するようにしてもよい。
【００２２】
第二の揺動部材１９は、例えばＳＵＳ３０４から構成され、図７に示すように、一側（Ｘ１側）の端部が両側でそれぞれ第一の揺動部材１８を揺動可能に装着すると共に、他側（Ｘ２側）でケース１６内に揺動可能に枢支される。即ち、第二の揺動部材１９は、一側（Ｘ１側）の端部にて、両側面からＹ１−Ｙ２方向に突出する一対の係合軸１９ａを有する。これらの係合軸１９ａがそれぞれ対応する第一の揺動部材１８の揺動孔１８ｂに嵌入することにより、各揺動部材１８の他側（Ｘ２側）の端部が第二の揺動部材１９の一側（Ｘ１側）の端部に対して揺動可能に支持される。
【００２３】
また、第二の揺動部材１９の一側（Ｘ１側）の端部は、図７（Ａ）及び（Ｃ）に示すように、下側に切欠き部１９ｂを備えている。
さらに、第二の揺動部材１９は、Ｙ１−Ｙ２方向中央に、他側（Ｘ２側）に向かって開放する切欠き部１９ｃを備えている。この切欠き部１９ｃは、図２に示すように、使用の際にケース１６内にてスリーブ１２を回避するようにスリーブ１２の直径より大きい幅を有している。
【００２４】
第二の揺動部材１９は、他側（Ｘ２側）の端部にて、Ｙ１側の側面にＹ１方向に開口する工具用係合孔１９ｄを、またＹ２側の側面にＹ２方向に開口する揺動軸孔１９ｅを備えている。これらの工具用係合孔１９ｄ及び揺動軸孔１９ｅは、この共通の中心軸Ｃ４がケース１６の中心軸Ｃ１と直交するように配置されている。
【００２５】
揺動軸孔１９ｅは、第二の揺動部材１９がケース１６内の所定位置に設置されたとき、ケース１６のＹ２側の側壁に設けられた揺動軸孔１６ｄとＹ１−Ｙ２方向に関して整合し、ケース１６の外側から揺動軸孔１６ｄ及び揺動軸孔１９ｅに揺動軸２０を挿通することにより、第二の揺動部材１９の他側（Ｘ２側）の端部がケース１６に対して揺動可能に支持される。
【００２６】
これに対して、工具用係合孔１９ｄは断面が正六角形であり、第二の揺動部材１９が揺動軸２０によりケース１６に対して揺動可能に支持されたとき、ケース１６のＹ１側の側面に設けられた貫通孔１６ｅと整合する。これにより、使用の際にケース１６の外側から貫通孔１６ｅを介して工具としての六角レンチ（図示せず）を工具用係合孔１９ｄ内に嵌合させ、六角レンチを回転駆動することにより、第二の揺動部材１９が揺動軸２０の中心軸Ｃ４の周りに揺動される。
【００２７】
上述したケース１６，押圧部材１７，第一の揺動部材１８及び第二の揺動部材１９の相互の位置関係は、図３（Ａ）に示す締結前の位置から図３（Ｂ）に示す締結位置まで、以下のように相互に移動するよう選定されている。
即ち、図３（Ａ）に示す退避位置において、第二の揺動部材１９を六角レンチを使用して右旋させたとき、その揺動軸２０がケース１６の中心軸Ｃ１と同じ高さ位置に配置されており、第二の揺動部材１９は中心軸Ｃ１に向かって接近するように揺動することから、第二の揺動部材１９の係合軸１９ａが上方へ移動すると共に、Ｘ１方向にも移動する。
これにより、係合軸１９ａを介して第一の揺動部材１８の揺動孔１８ｂが上方へ移動し、これに伴って第一の揺動部材１８が係合軸１７ｂの周りを左旋すると共に、全体としてＸ１方向にも移動して押圧部材１７をＸ１方向に移動させる。こうして押圧部材１７がフランジ部１４をＸ１方向に押動して、フランジ部１４の先端をガスケット１５を介してフランジ部１３の先端に圧接する。
【００２８】
本発明実施形態による締結継手１０は以上のように構成されており、使用の際には以下のように作用する。
即ち、締結継手１０のケース１６は前もって一方のスリーブ１１の先端に被嵌され、その後スリーブ１１の先端にフランジ部１３が取り付けられている。さらに、図２及び図３（Ａ）に示すように、ケース１６の切欠き部１６ｂからケース１６内の下側に、前もって互いに組み合わされた押圧部材１７，第一の揺動部材１８及び第二の揺動部材１９が配設され、揺動軸２０によりケース１６に対して揺動可能に支持されている。
【００２９】
そして、ケース１６内に前もってその先端にフランジ部１４を取り付けたスリーブ１２が導入される。その際、フランジ部１４の先端はガスケット１５を挟んでフランジ部１３の先端に対向する。また、フランジ部１４のフランジ１４ａの小径部が押圧部材１７の切欠き１７ａ内に嵌入すると共に、スリーブ１２が第二の揺動部材１９の切欠き部１９ｂ内に収容される。
このようにして、各部材、即ちフランジ部１３及び１４，押圧部材１７，第一の揺動部材１８そして第二の揺動部材１９が、図２及び図３（Ａ）に示す締結前の位置に配置されることになる。
【００３０】
この締結前の位置から、使用者が図示しない六角レンチの正六角形の工具先端を第二の揺動部材１９の工具用係合孔１９ｄ内に挿入して回転駆動することによって、第二の揺動部材１９が図３（Ａ）にて右旋されると、第二の揺動部材１９が揺動軸２０の周りを右旋する。これにより、第二の揺動部材１９のＸ１側の端部は、実質的に上方に向かって移動すると共に、僅かにＸ１方向に移動する。従って、第二の揺動部材１９の係合軸１９ａに枢支された第一の揺動部材１８は、そのＸ２側の端部が係合軸１９ａと共に上方に向かって、そして僅かにＸ１方向に向かって移動する。
【００３１】
これにより、第一の揺動部材１８は、押圧部材１７に対しては相対的に係合軸１７ｂの周りに揺動すると共に、押圧部材１７をＸ１方向に僅かに押動する。
従って、押圧部材１７は、図３（Ｂ）に示すように、フランジ部１４をＸ１方向に押動して締結位置まで移動させ、この締結位置で、フランジ部１４の先端は、ガスケット１５を挟んで対向するフランジ部１３の先端に接近する。即ち、フランジ部１３及び１４の各先端が互いに接近しガスケット１５を押圧して密接して当接する。これにより、スリーブ１１及び１２が連結される。
【００３２】
そして、この締結位置において、第一の揺動部材１８が揺動することによって、第一の揺動部材１８の中央付近に配置された係合孔１８ｃは、ケース１６に設けられた係合孔１６ｃのＹ１−Ｙ２方向に関して整合する。このようにして図２に示すように、ケース１６の外側から係合孔１６ｃを介して第一の揺動部材の係合孔１８ｃ内に、係合手段としての係合ピン２１を挿入して係合することで、第一の揺動部材１８が締結位置に固定保持される。
このようにして、第一の揺動部材１８は締結位置にロックされ、不用意に第一の揺動部材１８及び第二の揺動部材１９が揺動して、押圧部材１７が締結位置から退避位置に向かって移動しないようになっている。
【００３３】
図３（Ａ）、（Ｂ）を用いて、以下、スリーブ１１，１２の連結を解除する手順を説明する。上述した締結の場合と逆に、まず係合ピン２１を取り外した後、第二の揺動部材１９を左旋させると、揺動軸１９ａを介して第一の揺動部材１８が右旋し、これに伴って押圧部材１７が図３にてＸ２方向に向かって僅かに移動する。こうして、フランジ部１３及び１４の先端が互いに離間し、スリーブ１２をケース１６内から容易に取り外すことができる。
【００３４】
本発明はその趣旨を逸脱しない範囲において様々な形態で実施することができる。例えば、上述した実施形態においては、第一の揺動部材１８は、一側の第一の揺動部材１８のみが中央付近に係合孔１８ｃを備えており、係合ピン２１によりケースに対して固定保持されるようになっているが、これに限らず、両側の第一の揺動部材１８がそれぞれ係合孔１８ｃを備えており、ケース１６の対向する両側面に設けられた係合孔１６ｃと整合して、それぞれ係合ピン２１によりケース１６に対して固定保持されるようにしてもよい。この場合、両側の第一の揺動部材１８が全く同一の形状であることから、量産効果によるコストダウンを図ることができる。
なお、フランジ部１３，１４は、スリーブ１１，１２とは別体に作製してスリーブ先端に取り付けて構成してもよいが、スリーブの先端に削り出し等でフランジ部を一体的に形成するようにしてもよいことは勿論である。
【符号の説明】
【００３５】
１０    締結継手
１１，１２    スリーブ
１３，１４    フランジ部
１３ａ，１４ａ  フランジ
１５    シール部材（ガスケット）
１６    ケース
１６ａ  開口
１６ｂ  切欠き部
１６ｃ  係合孔
１６ｄ  揺動軸孔
１６ｅ  貫通孔
１７    押圧部材
１７ａ  切欠き部
１７ｂ  係合軸
１８    第一の揺動部材
１８ａ，１８ｂ  揺動孔
１８ｃ  係合孔
１９    第二の揺動部材
１９ａ  係合軸
１９ｂ  切欠き部
１９ｄ  工具用係合孔
１９ｅ  揺動軸孔
２０    揺動軸
２１    係合ピン（係合ネジ）
【図１】
2017180613.tif 000003
【図２】
2017180613.tif 000004
【図３】
2017180613.tif 000005
【図４】
2017180613.tif 000006
【図５】
2017180613.tif 000007
【図６】
2017180613.tif 000008
【図７】
2017180613.tif 000009